(57)【要約】【課題】画像情報の読み取りを終えて排紙された原稿と、この画像情報に基づいて画像が形成された記録済みシートとを、区分された状態を保ったまま容易に取り出すこと。【解決手段】画像情報を読取り済みのシート原稿Ｓは原稿排紙トレイ１４５上に、画像情報を記録済みのシートＰｓはシート排紙トレイ１５１上に互いに交わるようにそれぞれ排紙され、載置される。これにより、シート原稿Ｓと記録済みシートＰｓとを取出す際にこれらをそのまま重ね合わせて取出しても、これらの排紙方向が互いに交わった状態となっているので、容易にシート原稿Ｓと記録済みシートＰｓとを分別することができる。【選択図】図１
2007034271.tif 000002
【特許請求の範囲】
【請求項１】
画像を形成する画像形成部と、
前記画像形成部により画像が形成され装置本体の上面に向けて排出される記録済み用紙を載置するシート排紙台と、
原稿を読み取る原稿読取部と、
前記原稿読取部へ自動給紙する原稿を載置する原稿給紙台と、
前記原稿給紙台から給紙されて排出される原稿を載置する原稿排紙台と、を備え、
前記シート排紙台に載置される記録済み用紙の排出方向は、前記原稿排紙台に載置される原稿の排出方向と交差する、
画像形成装置。
【請求項２】
前記原稿排紙台に排出される原稿の向きと前記シート排紙台に排出される記録済み用紙の向きとは、互いに異なる、
請求項１記載の画像形成装置。
【請求項３】
前記シート排紙台と前記原稿排紙台とは、前記装置本体の上面の上下方向に関して異なる位置に設けられ、かつ、各々の少なくとも一部が上下方向に重なるように配設されている、
請求項１記載の画像形成装置。
【請求項４】
前記シート排紙台は、装置本体の上面の上下方向に関して、その少なくとも一部が、前記原稿給紙台および前記原稿排紙台に挟まれるように配設されている、
請求項１記載の画像形成装置。
【請求項５】
前記シート排紙台は、前記原稿給紙台の下方で、かつ、前記原稿排紙台の上方に配設され、
前記原稿給紙台は、その下方に面する前記シート排紙台の一部を被覆した状態で原稿を給紙する第１の状態と、前記第１の状態から変位して前記シート排紙台の前記被覆された一部を露呈させる第２の状態とを取り得る、
請求項１記載の画像形成装置。
【請求項６】
前記原稿給紙台は、折りたたみ可能に構成され、折りたたんだ状態で装置全体の設置面積の範囲内に収まる、
請求項５記載の画像形成装置。
【請求項７】
前記シート排紙台と前記原稿排紙台とは同一の排紙台であり、
前記装置本体の上面に向けて排出される記録済み用紙および前記原稿給紙台から給紙されて排出される原稿は、前記同一の排紙台に載置される、
請求項１記載の画像形成装置。
【請求項８】
前記同一の排紙台上には、前記原稿給紙台から給紙されて排出される原稿と前記装置本体の上面に向けて排出される記録済み用紙とが交互に排出される、
請求項７記載の画像形成装置。
【請求項９】
前記同一の排紙台上には、前記原稿給紙台から給紙されて排出されるすべての原稿が排出された後に、前記装置本体の上面に向けて排出される記録済み用紙が排出される、
請求項７記載の画像形成装置。
【請求項１０】
前記原稿および前記記録済み用紙は、少なくともその端面の一部が上下方向において揃うように、前記同一の排紙台上に排出される、
請求項９記載の画像形成装置。
【請求項１１】
前記記録済み用紙の排出方向の上流側の部位に設けられ、軸方向が前記記録済み用紙の排出方向と直交する支軸、をさらに備え、
前記シート排紙台、前記原稿給紙台および前記原稿排紙台は、前記支軸が回転することにより、前記装置本体の上面で、前記支軸の軸方向と平行な平面上に開閉して上方に変位可能である、
請求項１記載の画像形成装置。
【請求項１２】
前記原稿排紙台は、載置された原稿の一部を中空に浮かせるための切欠部を有し、
前記シート排紙台は、載置された記録済み用紙の一部を中空に浮かせるためのへこみ部を有し、
前記切欠部および前記へこみ部は、装置本体を上面から見たときにその一部が互いに重なる位置に設けられている、
請求項１記載の画像形成装置。
【請求項１３】
前記画像形成装置は、複数の大きさの異なる用紙に画像を形成することが可能であり、
前記シート排紙台は、排出された記録済み用紙を受け止めてその端部を所定の排出位置基準に合わせるための凸部を有する、
請求項１記載の画像形成装置。
【請求項１４】
前記シート排紙台は、最小サイズの記録済み用紙の先端部が前記凸部に到達するような勾配を有する、
請求項１３記載の画像形成装置。
【請求項１５】
前記原稿読取部は、複数の大きさの異なる原稿を読み取ることが可能であり、
前記原稿排紙台は、排出された原稿を受止めてその端部を合わせるための凸部を有する、
請求項１記載の画像形成装置。
【請求項１６】
前記原稿排紙台は、最小サイズの原稿の先端部が前記凸部に到達するような勾配を有する、
請求項１５記載の画像形成装置。
【請求項１７】
用紙に対して画像を形成する画像形成部と、
原稿を読み取る原稿読取部と、
前記原稿読取部へ自動給紙する原稿を載置する原稿給紙台と、
画像が形成されて排出された用紙を収容する用紙排出台と、
原稿読み取り動作が行われて排出された原稿を収容する原稿排出台と、を備え、
画像が形成された後に前記用紙排出台に排出される用紙と、原稿読取部により読み取り動作が行われた後に前記原稿排出台に排出される原稿とは、各々の紙面の長手方向同士が上下方向において交差するように、各排出台に収容される、
画像形成装置。
【請求項１８】
前記用紙排出台に排出される用紙および前記原稿排出台に排出される原稿は、少なくとも端面の一部が上下方向において揃うように各排出台に収容される、
請求項１７記載の画像形成装置。
【請求項１９】
前記用紙排出台および前記原稿排出台は、異なる位置に設けられる別々の排出台である、
請求項１７記載の画像形成装置。
【請求項２０】
前記用紙排出台および前記原稿排出台は、同一の排出台である、
請求項１７記載の画像形成装置。
【請求項２１】
前記用紙と前記原稿とは、１枚毎に交互に排出され、１枚毎に交互に交差した状態で前記同一の排出台に収容される、
請求項２０記載の画像形成装置。
【請求項２２】
前記用紙と前記原稿とは、用紙毎および原稿毎に一括して排出され、用紙毎および原稿毎に交差した状態で前記同一の排出台に収容される、
請求項２０記載の画像形成装置。
【請求項２３】
用紙に対して画像を形成する画像形成部と、
原稿を読み取る原稿読取部と、
前記原稿読取部へ自動給紙する原稿を載置する原稿給紙台と、
画像が形成されて排出された用紙を収容する用紙排出台と、
原稿読み取り動作が行われて排出された原稿を収容する原稿排出台と、を備え、
前記用紙排出台と前記原稿排出台とは、各々の排出台の少なくとも一部が上下方向において交差するように配設されている、
画像形成装置。
【発明の詳細な説明】
【技術分野】
【０００１】
本発明は、電子写真方式や静電記録方式、イオノグラフィー、磁気記録方式等の画像形成方式を採用した白黒およびカラーの複写機やプリンタ、ファクシミリ等の画像形成装置に関し、特に、印刷した用紙を装置本体の上面に排出することができる画像形成装置に関する。
【背景技術】
【０００２】
従来、この種の画像形成装置は、一般的に、ユーザの操作性を考慮して、ユーザの手操作で原稿の画像情報を読み取るフラットベットスキャナからなる読取部が装置本体の上面に配設されている。また、この種の画像形成装置は、原稿を自動給紙して画像情報を読み取る自動原稿給紙装置（ＡＤＦ：Automatic Document Feeder）が前記読取部の上に配設されている。
【０００３】
このように、この種の画像形成装置は、装置本体の最上部に自動原稿給紙装置が配設されているため、画像形成部において画像が形成された記録済みシートは、装置本体の側面に配設したシート排紙台上に排紙して載置される。この画像形成装置は、前記シート排紙台が装置本体の側面から突出した構成であるため、見かけよりも大きな設置面積が必要となる。
【０００４】
そこで、近年、読取部と画像形成部との間の装置本体胴部に空間を形成し、この空間に記録済みシートの排紙部を形成した構成の画像形成装置が提案されている（例えば、特許文献１参照）。この画像形成装置は、特別な場合に開いて使われる手差しトレイを除けば、装置本体の側面から突出する部材がないので設置面積が小さくて済む。
【０００５】
しかしながら、この画像形成装置は、装置本体胴部に形成された排紙部が、装置本体前面の操作パネルや前記読取部等の陰に隠れる構成となるため、排紙部に排紙された記録済みシートの視認性および取り出し作業の容易性に難点がある。また、この画像形成装置は、装置本体胴部に空間が形成されているため、装置全体の高さが大きくなり、筐体構造や外装の構成等が複雑になり、装置本体の強度維持等のために余分なコストがかかるという問題がある。
【０００６】
そこで、本出願人は、本出願に先立ち、自動原稿給紙装置の最上部に記録済みシートを排紙できるように構成した画像形成装置を提案している（例えば、特許文献２参照）。
【０００７】
図２８は、特許文献２記載の画像形成装置の概略断面図である。
【０００８】
図２８に示す画像形成装置１０は、装置本体の上部に画像読取装置（フラットベッドスキャナ２０）および自動原稿給紙装置（ＡＤＦ３０）が配置され、かつ、これらの装置２０、３０が画像形成装置１０に対して開閉自在に蝶着されたクラムシェル状の機構に形成された構成となっている。これにより、画像形成装置１０は、装置本体の最上部に記録済みシートを排紙できるので、排紙された記録済みシートの確認や取り出しを容易に行うことができる。また、この画像形成装置１０は、装置本体の側面から突出する部材がないので、装置本体の設置面積を小さくすることができる。
【特許文献１】特開２００３−３０７９９６号公報
【特許文献２】特開平８−２８６４５０号公報
【発明の開示】
【発明が解決しようとする課題】
【０００９】
ところで、近年の画像形成装置は、一見しただけでは原稿と区別ができない程、原稿を忠実にコピーすることができるようになってきている。このため、このような高品質の画像形成を行うことができる画像形成装置においては、原稿と記録済みシートとを不用意に重ね合わせて揃えてしまうと、原稿と記録済みシートとの区別ができなくなってしまうおそれがある。したがって、この種の画像形成装置では、原稿および記録済みシートを取り出した際に、これらを明確に区別できる構成にしておくことが望ましい。
【００１０】
しかしながら、図２８に示す画像形成装置では、自動原稿給紙装置で給紙および排紙される原稿の搬送方向とシート排紙台上に排紙される記録済みシートの搬送方向とが同じ方向であるため、原稿排紙台上に積載された原稿の向きとシート排紙台上に積載された記録済みシートの向きとが同じ方向となる。そのため、排紙された原稿と記録済みシートを取り出した際にこれらを重ね合わせると、排紙された原稿と記録済みシートとが混合し区別ができなくなってしまうおそれがある。
【００１１】
本発明は、かかる点に鑑みてなされたものであり、画像情報の読み取りを終えて排紙された原稿と、この画像情報に基づいて画像が形成された記録済みシートとを、区分された状態を保ったまま容易に取り出すことができる利便性の高い画像形成装置を提供することを目的とする。
【課題を解決するための手段】
【００１２】
本発明の画像形成装置は、画像を形成する画像形成部と、前記画像形成部により画像が形成され装置本体の上面に向けて排出される記録済み用紙を載置するシート排紙台と、原稿を読み取る原稿読取部と、前記原稿読取部へ自動給紙する原稿を載置する原稿給紙台と、前記原稿給紙台から給紙されて排出される原稿を載置する原稿排紙台と、を備え、前記シート排紙台に載置される記録済み用紙の排出方向は、前記原稿排紙台に載置される原稿の排出方向と交差する、構成を採る。
【００１３】
本発明の画像形成装置は、用紙に対して画像を形成する画像形成部と、原稿を読み取る原稿読取部と、前記原稿読取部へ自動給紙する原稿を載置する原稿給紙台と、画像が形成されて排出された用紙を収容する用紙排出台と、原稿読み取り動作が行われて排出された原稿を収容する原稿排出台と、を備え、画像が形成された後に前記用紙排出台に排出される用紙と、原稿読取部により読み取り動作が行われた後に前記原稿排出台に排出される原稿とは、各々の紙面の長手方向同士が上下方向において交差するように、各排出台に収容される、構成を採る。
【００１４】
本発明の画像形成装置は、用紙に対して画像を形成する画像形成部と、原稿を読み取る原稿読取部と、前記原稿読取部へ自動給紙する原稿を載置する原稿給紙台と、画像が形成されて排出された用紙を収容する用紙排出台と、原稿読み取り動作が行われて排出された原稿を収容する原稿排出台と、を備え、前記用紙排出台と前記原稿排出台とは、各々の排出台の少なくとも一部が上下方向において交差するように配設されている、構成を採る。
【発明の効果】
【００１５】
本発明によれば、画像情報の読み取りを終えて排紙された原稿と、この画像情報に基づいて画像が形成された記録済みシートとが、互いに交差する方向となるように各排紙台に排紙されるので、原稿と記録済みシートとをこの状態で取り出すことにより、区分（仕分け）された状態を保ったまま容易に取り出すことができ、ユーザに対する利便性を向上させることができる。
【発明を実施するための最良の形態】
【００１６】
以下、本発明の実施の形態について、図面を参照して詳細に説明する。なお、各図において同一の構成または機能を有する構成要素および相当部分には、同一の符号を付してその説明は繰り返さない。
【００１７】
（実施の形態１）
まず、本発明の実施の形態１に係る画像形成装置について、図１〜図４を用いて説明する。本実施の形態に係る画像形成装置は、紙文書やブック原稿などを複写する複写機能、ＰＣなどから送信される電子データなどをプリントアウトするプリント機能、およびＦＡＸ等と送受信するファクシミリ機能を有する多機能の複合機としての構成を備えている。なお、本発明は、単一の機能のみを備えた画像形成装置にも適用可能であることは言うまでもない。
【００１８】
図１は、本発明の実施の形態１に係る画像形成装置の外観を示す概略斜視図であり、図２は、本発明の実施の形態１に係る画像形成装置を側面方向から見た概略一部断面図であり、図３は、本発明の実施の形態１に係る画像形成装置を正面方向から見た原稿読取部および自動原稿給紙部の構成を示す概略断面図であり、図４は、本発明の実施の形態１に係る画像形成装置を正面方向から見た画像読み取り後の原稿読取部および自動原稿給紙部の構成を示す概略断面図である。
【００１９】
画像形成装置１００は、大別して、記録媒体（例えば、コピー用紙やＯＨＰシートなどのシート：以下「記録紙」または単に「用紙」という）上に形成する画像の情報を受信する受信部１１０と、複写対象である原稿の画像を読み取る読取部１２０と、記録紙に未定着画像を担持形成する画像形成部１３０と、複数の原稿を自動的かつ連続的に読取部１２０に給紙する自動原稿給紙装置１４０と、画像が形成された記録紙を排出して載置するシート排紙部１５０と、複数の記録紙を収容する給紙部１７０と、給紙部１７０に収容された記録紙を画像形成部１３０に搬送する搬送系１８０とを具備している。
【００２０】
また、画像形成装置１００には、ＬＡＮ（Local Area Network）ケーブルが接続されるＬＡＮポートや公衆回線が接続されるモジュラ、メモリカードが装着されるカードスロット等（いずれも図示せず）が配設されている。
【００２１】
受信部１１０は、ＰＣ（Personal Computer）やＦＡＸ、記憶媒体（例えば、メモリカード）などの外部機器からＬＡＮ（無線ＬＡＮを含む）や公衆回線を介して入力される画像情報を受信する。
【００２２】
読取部１２０は、図２に示すように、画像形成装置１００の装置本体１０１の上部に配設されている。読取部１２０は、図３に示すように、ユーザの手操作で複写するシート原稿Ｓやブック原稿Ｂ等の記録紙を載置する原稿載置台（コンタクトガラス）１２１、原稿載置台１２１上に載置されたシート原稿Ｓ（または、ブック原稿Ｂ）を覆う原稿カバー１２２、およびシート原稿Ｓ（または、ブック原稿Ｂ）の画像を走査して画像情報を読み取る走査光学系１２３等で構成されている。
【００２３】
走査光学系１２３は、例えば、光源１２３ａ、ミラー１２３ｂ、レンズ１２３ｃ、および撮像素子（ＣＣＤ：Charged-Coupled Devices）１２３ｄ等で構成されている。原稿カバー１２２は、自動原稿給紙装置１４０の原稿排紙台としての原稿排紙トレイ１４５を兼ねた構成を有している。
【００２４】
画像形成部１３０は、画像形成装置１００の装置本体１０１のほぼ中央部に配設されている。画像形成部１３０は、感光体１３１、帯電器１３２、露光装置１３３、現像装置１３４、転写ローラ１３５、クリーニング装置１３６および定着装置１３７等で構成されている。
【００２５】
自動原稿給紙装置１４０は、読取部１２０の上部に配設されている。自動原稿給紙装置１４０は、図３に示すように、自動給紙するシート原稿Ｓを載置する原稿給紙台としての原稿給紙トレイ１４１、原稿給紙手段としての原稿給紙ローラ１４２、原稿読取手段としてのスキャナ１４３、原稿排紙手段としての原稿排紙ローラ１４４、および原稿排紙台としての原稿排紙トレイ１４５等を備えている。
【００２６】
原稿給紙トレイ１４１には、載置されたシート原稿Ｓの側面位置を位置決めする変位自在な原稿位置規制板１４６が設けられている。また、原稿給紙トレイ１４１には、自動原稿給紙装置１４０により給紙されるシート原稿Ｓの有無を検出する原稿検出手段としての原稿センサ（図示せず）が備えられている。この原稿センサが原稿給紙トレイ１４１にシート原稿Ｓが載置されていることを検知すると、自動原稿給紙装置１４０は、これらのシート原稿Ｓを給紙可能な状態に移行する。
【００２７】
原稿給紙ローラ１４２は、原稿給紙トレイ１４１に載置（セット）されたシート原稿Ｓを１枚ずつ分離してスキャナ１４３に向けて給紙する。スキャナ１４３は、原稿給紙ローラ１４２により分離給紙されたシート原稿Ｓの画像情報を読み取る。原稿排紙ローラ１４４は、スキャナ１４３により画像情報の読み取りを終えたシート原稿Ｓを原稿排紙トレイ１４５上に排紙する。原稿給紙ローラ１４２および原稿排紙ローラ１４４は、その軸がシート原稿Ｓの排出方向と直交するように設けられている。
【００２８】
すなわち、自動原稿給紙装置１４０は、図３に示すように、原稿給紙トレイ１４１に載置（セット）されたシート原稿Ｓを、原稿給紙ローラ１４２により１枚ずつ分離給紙し、画像情報読み取り後のシート原稿Ｓを、原稿排紙ローラ１４４により原稿給紙トレイ１４１の下方に配設された原稿排紙トレイ１４５上に排紙するように構成されている。また、自動原稿給紙装置１４０は、原稿排紙トレイ１４５と共に、後述する支軸１５６を中心として装置本体１０１に対して開閉自在に構成されている。
【００２９】
シート排紙部１５０は、シート排紙台としてのシート排紙トレイ１５１、シート排紙手段としてのシート排紙ローラ１５２、シート搬送ローラ１５３、シート排紙ガイド板１５４、およびシート排出口１５５等を備えている。このシート排紙部１５０は、図２に示すように、画像形成部１３０で画像形成された記録済みシートＰｓを装置本体１０１の最上部に排紙するように構成されている。すなわち、シート排紙部１５０のシート排紙トレイ１５１は、装置本体１０１および装置本体の上部に配設された自動原稿給紙装置１４０よりも高い位置に配設されている。
【００３０】
図１および図２において、シート排紙トレイ１５１は、原稿給紙トレイ１４１の上部に
配設されており、装置の外に排紙された記録済みシートＰｓを載置する。シート排紙ローラ１５２は、シート排紙トレイ１５１上に記録済みシートＰｓを排紙する。シート搬送ローラ１５３は、シート排紙ローラ１５２に向けて記録済みシートＰｓを搬送する。シート排紙ガイド板１５４は、シート搬送ローラ１５３によりシート排紙ローラ１５２に向けて搬送される記録済みシートＰｓをガイドする。シート排出口１５５は、記録済みシートＰｓを排出する。シート排紙ローラ１５２およびシート搬送ローラ１５３は、その軸が記録済みシートＰｓの排出方向と直交するように設けられている。
【００３１】
ここで、シート排紙部１５０のシート排紙ローラ１５２の軸は、自動原稿給紙装置１４０の原稿排紙ローラ１４４の軸と交わるように配置されている（図２および図３参照）。したがって、シート排紙ローラ１５２から排出される記録済みシートＰｓと、原稿排紙ローラ１４４から排出されるシート原稿Ｓとは、互いに交差して排紙されることになる。
【００３２】
支軸１５６は、読取部１２０と近接する原稿カバー１２２を、自動原稿給紙装置１４０とともに、装置本体１０１から開閉するための回転軸である（図３参照）。支軸１５６は、その軸が原稿排紙ローラ１４４の軸と略同一方向となるように設けられている。したがって、原稿カバー１２２の開閉方向は、シート原稿Ｓの排出方向と同一方向であり、かつ記録済みシートＰｓの排出方向と交差する方向である。ここで、「開閉方向」とは、支軸１５６の軸の方向と直交する方向を意味する。
【００３３】
給紙部１７０は、図２に示すように、コピー用紙やＯＨＰシート等の記録媒体としてのシートＰを収容する給紙カセット１７１、この給紙カセット１７１を収納するカセット収納部１７２、および給紙カセット１７１に収容されているシートＰを１枚ずつ分離して給紙する分離給紙装置１７３等で構成されている。カセット収納部１７２には、複数の給紙カセット１７１を収納することができる。これにより、シートの材質またはサイズにより区分された異なる種類のシートＰを同時に収納することが可能になる。
【００３４】
搬送系１８０は、図２に示すように、給紙部１７０に収容されたシートＰを画像形成部１３０に向けてガイドする給紙ガイド板１８１を備えている。この給紙ガイド板１８１により給紙経路１８１ａが形成される。また、給紙経路１８１ａの出口には、シートＰを所定のタイミングで画像形成部１３０に送り込むレジストローラ１８２が配設されている。
【００３５】
また、搬送系１８０は、画像形成部１３０の定着装置１３７で未定着画像が定着されたシートＰを装置本体１０１の最上部のシート排紙部１５０に向けてガイドするシート排紙ガイド板１８３を備えている。このシート排紙ガイド板１８３によりシート排紙経路１８３ａが形成される。
【００３６】
また、搬送系１８０は、記録済みシートＰｓを、その画像形成面を反転させて給紙経路１８１ａに送り込む反転搬送ローラ１８５および反転搬送ガイド板１８６を備えている。反転搬送ローラ１８５および反転搬送ガイド板１８６により反転搬送経路１８６ａが形成される。
【００３７】
この反転搬送経路１８６ａと、画像形成部１３０の定着装置１３７から排紙されたシートＰの排紙搬送経路１８７ａとの合流部には、排紙搬送経路１８７ａを一旦抜け出たシートＰの搬送経路を、反転搬送経路１８６ａ側に切り替える反転切替爪１８８が配設されている。また、反転切替爪１８８の排紙方向下流側には、シートＰを上面排紙方向および反転搬送方向に搬送する正逆回転ローラ１８９が配設されている。これにより、画像形成部１３０で一方の面に画像が形成されたシートＰを画像形成部１３０に再び送出して、シートＰの他方の面にも画像を形成することができる（両面印刷）。
【００３８】
次に、上述のように構成された画像形成装置１００の動作について説明する。
【００３９】
この画像形成装置１００は、手動複写モード、外部入力プリントモード、および自動複写モードの３つのモードを有している。以下、これらの印刷モードのそれぞれにおける画像形成装置１００の動作を説明する。
【００４０】
（手動複写モード）
手動複写モードとは、手操作により原稿載置台１２１上に載置されたシート原稿Ｓまたはブック原稿Ｂを読取部１２０のＣＣＤ１２３ｄで読み取った画像情報を記録紙に複写する印刷モードである。
【００４１】
手動複写モードでは、図３において、読取部１２０の原稿カバー１２２を自動原稿給紙装置１４０と共に支軸１５６を中心に開放して原稿載置台１２１を露呈させる。そして、この露呈した原稿載置台１２１上に、複写するシート原稿Ｓまたはブック原稿Ｂをユーザの手操作で載置する。
【００４２】
読取部１２０には、原稿載置台１２１に載置されたシート原稿Ｓまたはブック原稿Ｂの有無を検出する手動原稿検出手段としての原稿サイズセンサ（図示せず）が配設されている。
【００４３】
図３において、前記原稿サイズセンサにより原稿載置台１２１上にシート原稿Ｓまたはブック原稿Ｂが載置されていることが検出された状態で、ユーザが装置本体の操作パネル１０２（図１参照）上のコピーボタンを押すと、走査光学系１２３が動作してＣＣＤ１２３ｄがシート原稿Ｓまたはブック原稿Ｂの画像データを読み取る。このＣＣＤ１２３ｄが読み取った画像データは、画像処理装置（図示せず）によって印刷用データに変換された後、所定のタイミングで画像形成部１３０の露光装置１３３に入力される。
【００４４】
また、前記コピーボタンが押下されると、感光体１３１が所定方向に回転し、感光体１３１の表面が帯電器１３２により一様に帯電される。露光装置１３３は、この一様に帯電された感光体１３１の表面に、前記画像処理装置によって変換された印刷用データをレーザ光として照射する。このレーザ光の照射により、感光体１３１の表面に読み取った原稿の静電潜像が形成される。
【００４５】
この静電潜像は、現像装置１３４から供給されるトナーにより可視像（トナー像）化される。そして、このトナー像は、転写ローラ１３５により、レジストローラ１８２によって所定のタイミングで給紙されたシートＰ上に転写された後、定着装置１３７によって定着される。
【００４６】
このようにして、シート原稿Ｓまたはブック原稿Ｂの画像が形成された記録済みシートＰｓは、シート排紙経路１８３ａを通りシート排紙部１５０のシート排紙トレイ１５１上に排紙されて載置される。
【００４７】
（外部入力プリントモード）
外部入力プリントモードとは、受信部１１０に入力されたＰＣやＦＡＸ、メモリカード等の外部機器からの画像情報を記録紙にプリントアウトする印刷モードである。
【００４８】
外部入力プリントモードでは、ＰＣやＦＡＸ、メモリカードなどの外部機器から受信部１１０に入力された画像情報（画像データ）が、装置本体１０１に配設されている記憶手段としてのメモリ（図示せず）に記憶（蓄積）される。このメモリに蓄積された画像データは、画像処理装置（図示せず）によって印刷用データに変換されて所定のタイミングで露光装置１３３に入力される。
【００４９】
そして、この印刷用データは、上記した手動複写モードの場合と同様に、画像形成部１３０によりシートＰ上にプリントアウトされる。
【００５０】
このようにして、外部入力プリントモードでは、定着装置１３７で画像が定着された記録済みシートＰｓが、シート排紙経路１８３ａを通してシート排紙部１５０に向けて搬送され、シート排紙ローラ１５２によりシート排紙トレイ１５１上に排紙されて載置される。
【００５１】
（自動複写モード）
自動複写モードとは、原稿給紙トレイ１４１上にセットされたシート原稿Ｓを自動原稿給紙装置１４０のスキャナ１４３で読み取った画像情報を記録紙に複写する印刷モードである。
【００５２】
自動複写モードでは、図３に示すように、自動原稿給紙装置１４０の原稿給紙トレイ１４１上に自動給紙するシート原稿Ｓをセットする。これにより、自動原稿給紙装置１４０により給紙されるシート原稿Ｓの有無を検出する原稿検出手段としての原稿センサ（不図示）がオン状態になる。この原稿センサのオンによって、シート原稿Ｓの画像情報を読み取るスキャナ１４３のランプの発光準備等が行われる。
【００５３】
原稿センサがオンしている状態で、ユーザが装置本体１０１の操作パネル１０２上のコピーボタンを押すと、原稿給紙トレイ１４１上のシート原稿Ｓが原稿給紙ローラ１４２により給紙される（図３参照）。これにより、シート原稿Ｓがスキャナ１４３の原稿読取ガラスに密着しながら搬送され、シート原稿Ｓの画像情報が読み取られる。画像情報の読み取りが終了したシート原稿Ｓは、原稿排紙ローラ１４４により自動原稿給紙装置１４０の原稿排紙トレイ１４５上に排紙される（図４参照）。
【００５４】
このようにして、自動原稿給紙装置１４０のスキャナ１４３で読み取られたシート原稿Ｓの画像情報（画像データ）は、上記した外部入力プリントモードの場合と同様に、前記メモリに記憶される。このメモリに記憶された画像データは、前記画像処理装置によって印刷用データに変換され、所定のタイミングで露光装置１３３に入力される。
【００５５】
この露光装置１３３に入力された印刷用データは、上記した手動複写モードの場合と同様に、所定のタイミングで一様に帯電された感光体１３１の表面にレーザ光として照射され、定着装置１３７によりシートＰ上にトナー像として定着される。
【００５６】
この自動複写モードにおいて画像形成された記録済みシートＰｓは、上記した外部入力プリントモードの場合と同じく、シート排紙経路１８３ａを通してシート排紙部１５０に向けて搬送される。さらに、この記録済みシートＰｓは、シート搬送ローラ１５３によりシート排紙ガイド板１５４に沿って搬送され、シート排紙ローラ１５２により原稿給紙トレイ１４１の上面部位に配設したシート排紙トレイ１５１上に排紙されて載置される（図４参照）。
【００５７】
このようにして、画像形成装置１００の画像形成処理が行われる。この画像形成装置１００においては、装置本体１０１の上部に、記録済みシートＰｓとシート原稿Ｓとが載置されるので、容易に記録済みシートＰｓとシート原稿Ｓとを取り出すことができる。
【００５８】
ところで、本実施の形態の画像形成装置１００では、上記のように、画像情報の読み取りを終えたシート原稿Ｓを排紙する原稿排紙ローラ１４４の軸の方向と画像形成後の記録済みシートＰｓを排紙するシート排紙ローラ１５２の軸の方向とが交わるように配置されている（図１参照）。したがって、画像情報の読み取りを終えたシート原稿Ｓの排紙方向と画像形成後の記録済みシートＰｓの排紙方向とが交わるようになる。
【００５９】
すなわち、この画像形成装置１００においては、自動原稿給紙装置１４０を用いて画像形成を行った場合（例えば、自動複写モード）、画像情報を読み取り済みのシート原稿Ｓと画像情報を記録済みのシートＰｓとが互いに交わるように排紙される。これにより、原稿排紙トレイ１４５上のシート原稿Ｓと、シート排紙トレイ１５１上の記録済みシートＰｓとは、交わった状態で載置される。
【００６０】
そのため、この画像形成装置１００においては、画像情報を読み取り済みのシート原稿Ｓと画像情報を記録済みのシートＰｓとを取り出す際に、これらをそのまま重ね合わせて取り出しても、これらの排紙方向が互いに交わった状態となっているので、容易にシート原稿Ｓと記録済みシートＰｓとを分別することができる。
【００６１】
なお、上記の図１〜図４の画像形成装置では、シート原稿Ｓは原稿排紙トレイ１４５に、記録済みシートＰｓはシート排紙トレイ１５１にそれぞれ分別されて排紙されるが、本発明の画像形成装置の構成はこれに限定されない。例えば、図５に示すように、原稿排紙トレイ１４５とシート排紙トレイ１５１とを同一の排紙トレイ１９０にし、この排紙トレイ１９０にシート原稿Ｓおよび記録済みシートＰｓを排紙するようにしてもよい。この構成によっても、シート原稿Ｓと記録済みシートＰｓとは、それぞれ異なった向きに交わって排紙され、載置されるので、容易にシート原稿Ｓと記録済みシートＰｓとを区別することができる。
【００６２】
また、図５のような同一排紙トレイ１９０を有する画像形成装置においては、シート原稿Ｓの給紙および読み取り、ならびに記録済みシートＰｓの排出を１枚ずつ行う場合と、シート原稿Ｓの給紙および読み取りを一括して行ってメモリに画像情報（画像データ）を記録した後に、シートＰへの印字を一括して行って記録済みシートＰｓを排紙する場合とが考えられる。以下、これらの場合の印字動作についてそれぞれ説明する。
【００６３】
まず、シート原稿Ｓの給紙および読み取り、ならびに記録済みシートＰｓの排出を１枚ずつ行う場合の印字動作について、図６のフローチャートを用いて説明する。図６は、シート原稿Ｓの排紙および記録済みシートＰｓの排紙を１枚ずつ行う場合の印字動作の一例を説明するためのフローチャートである。
【００６４】
自動原稿給紙装置１４０は、原稿給紙トレイ１４１にシート原稿Ｓが載置されたことを検知すると（Ｓ１）、載置されたシート原稿Ｓのうちの１枚（例えば、最上面のシート原稿Ｓ）の給紙を開始する（Ｓ２）。次に、読取部１２０は、給紙されたシート原稿Ｓの画像情報を読み取ってメモリに記憶し（Ｓ３）、画像情報を読み取った後のシート原稿Ｓが同一排紙トレイ１９０に排紙される（Ｓ４）。メモリに画像情報が記録されると、画像形成部１３０は、給紙部１７０に収容されたシートＰに対して、メモリに記録された画像情報の画像形成を開始し（Ｓ５）、画像が形成された記録済みシートＰｓは、同一排紙トレイ１９０上のシート原稿Ｓの上部に、シート原稿Ｓと異なる向きに排紙される（Ｓ６）。
【００６５】
そして、原稿給紙トレイ１４１に載置された次のシート原稿Ｓの複写動作に移行し（Ｓ７：ＹＥＳ）、原稿給紙トレイ１４１に載置されたすべてのシート原稿の複写が終了するまで（Ｓ７：ＮＯ）、ステップＳ２〜ステップＳ６の処理を繰り返す。
【００６６】
この場合、原稿読み取り後のシート原稿Ｓおよび記録済みシートＰｓは、同一排紙トレイ１９０上に、互いに異なる向きで１枚ずつ交互に載置される（図７参照）。これにより、シート原稿Ｓと記録済みシートＰｓとを分別した状態で、記録済みシートＰｓにシート原稿Ｓと同一の画像情報が印字されたことを一枚ずつ容易に確認することができる。
【００６７】
次に、シート原稿Ｓの給紙および読み取りを一括して行ってメモリに画像情報（画像データ）を記録した後に、シートＰへの印字を一括して行って記録済みシートＰｓを排紙する場合の印字動作について、図８のフローチャートを用いて説明する。図８は、シート原稿Ｓの排紙および記録済みシートＰｓの排紙をそれぞれ一括して行う場合の印字動作の一例を説明するためのフローチャートである。
【００６８】
自動原稿給紙装置１４０は、原稿給紙トレイ１４１にシート原稿Ｓが載置されたことを検知すると（Ｓ１１）、載置されたシート原稿Ｓのうちの１枚（例えば、最上面のシート原稿Ｓ）の給紙を開始する（Ｓ１２）。次に、読取部１２０は、給紙されたシート原稿Ｓの画像情報を読み取ってメモリに記憶し（Ｓ１３）、画像情報を読み取った後のシート原稿Ｓが同一排紙トレイ１９０に排紙される（Ｓ１４）。そして、原稿給紙トレイ１４１に載置された次のシート原稿Ｓの画像情報の読取処理に移行し（Ｓ１５：ＹＥＳ）、原稿給紙トレイ１４１に載置されたすべてのシート原稿の画像情報の読み取りが終了するまで（Ｓ１５：ＮＯ）、ステップＳ１２〜ステップＳ１４の処理を繰り返す。
【００６９】
原稿給紙トレイ１４１に載置されたすべてのシート原稿の画像情報が読み取られ、メモリに記憶されて同一排紙トレイ１９０に排紙されると、画像形成部１３０は、給紙部１７０に収容されたシートＰに対して、メモリに記録されたすべての画像情報の画像形成を開始して（Ｓ１６）、画像が形成された記録済みシートＰｓが順次、同一排紙トレイ１９０上のシート原稿Ｓの上部に排紙される（Ｓ１７）。
【００７０】
この場合、同一排紙トレイ１９０上には、原稿読み取り後のシート原稿Ｓが載置され、シート原稿Ｓの上部には、記録済みシートＰｓが、シート原稿Ｓと異なる向きに載置される（図９参照）。これにより、容易にシート原稿Ｓと記録済みシートＰｓとを分別することができる。
【００７１】
また、排紙されたシート原稿Ｓおよび記録済みシートＰｓの端面の少なくとも一部が上下方向において揃うように、自動原稿給紙装置１４０およびシート排紙部１５０を構成してもよい（図１０参照）。
【００７２】
このように、本実施の形態によれば、画像情報の読み取りを終えて排紙された原稿Ｓと、この画像情報に基づいて画像が形成された記録済みシートＰｓとが、互いに交差する方向となるように各排紙台に排紙されるので、原稿Ｓと記録済みシートＰｓとの区分が明確な状態でこれらを容易に取り出すことができる。
【００７３】
（実施の形態２）
次に、本発明の実施の形態２に係る画像形成装置について、図１１および図１２を用いて説明する。
【００７４】
図１１は、本発明の実施の形態２に係る画像形成装置の概観を示す概略斜視図であり、図１２は、本発明の実施の形態２に係る画像形成装置を正面方向から見た構成を示す概略断面図である。以下の説明では、実施の形態１と同様の構成及び動作を行う部分については説明を省略し、また同様の機能を有する要素については同じ番号を付与する。
【００７５】
本実施の形態の画像形成装置２００では、シート排紙部２１０の構成および動作が実施の形態１のシート排紙部１５０と異なる。したがって、本実施の形態では、シート排紙部２１０の構成および動作について説明する。
【００７６】
シート排紙部２１０は、画像が形成された記録紙を排出して載置する。具体的には、シート排紙部２１０は、記録済みシートＰｓを、記録済みシートＰｓの長手方向とシート原稿Ｓの長手方向とが交差するように排出する。すなわち、画像情報を読み取り済みのシート原稿Ｓと画像情報を記録済みのシートＰｓとは、互いに交わるように排紙される。
【００７７】
シート排紙部２１０は、シート排紙台としてのシート排紙トレイ２１１、シート排紙手段としてのシート排紙ローラ２１２、シート搬送ローラ２１３、およびシート排紙ガイド板２１４等を備えている。このシート排紙部２１０は、画像形成部１３０で画像形成された記録済みシートＰｓを装置本体１０１の最上部に排紙するように構成されている。すなわち、シート排紙部２１０のシート排紙トレイ２１１は、自動原稿給紙装置１４０よりも高い位置に配設されている。
【００７８】
シート排紙トレイ２１１は、原稿給紙トレイ１４１の上部に配設されており、装置の外に排紙された記録済みシートＰｓを載置する。シート排紙ローラ２１２は、シート排紙トレイ２１１上に記録済みシートＰｓを排紙する。シート搬送ローラ２１３は、シート排紙ローラ２１２に向けて記録済みシートＰｓを搬送する。シート排紙ガイド板２１４は、シート搬送ローラ２１３によりシート排紙ローラ２１２に向けて搬送される記録済みシートＰｓをガイドする。
【００７９】
ここで、シート排紙ローラ２１２は、記録済みシートＰｓを、記録済みシートＰｓの長手方向と記録済みシートＰｓの搬送方向とが略垂直になるように排紙する。したがって、シート排紙ローラ２１２から排紙される記録済みシートＰｓと、原稿排紙ローラ１４４から排紙されるシート原稿Ｓとは、互いに交差して排紙されることになる。
【００８０】
次に、上述のように構成された画像形成装置２００の動作について説明する。
【００８１】
ここでは、上述した３つのモード（手動複写モード、外部入力プリントモード、および自動複写モード）のうち、自動複写モードの場合について説明する。
【００８２】
まず、自動給紙するシート原稿Ｓを、原稿給紙トレイ１４１上に、シート原稿Ｓの長手方向とシート原稿Ｓの搬送方向とが略平行になるようにセットする。これにより、自動原稿給紙装置１４０により給紙されるシート原稿Ｓの有無を検出する原稿検出手段としての原稿センサ（不図示）がオン状態になる。この原稿センサのオンによって、シート原稿Ｓの画像情報を読み取るスキャナ１４３のランプの発光準備等が行われる。
【００８３】
原稿センサがオンしている状態で、ユーザが操作パネル１０２上のコピーボタンを押すと、原稿給紙トレイ１４１上のシート原稿Ｓが原稿給紙ローラ１４２により給紙される。これにより、シート原稿Ｓがスキャナ１４３の原稿読取ガラスに密着しながら搬送され、シート原稿Ｓの画像情報が読み取られる。画像情報の読み取りが終了したシート原稿Ｓは、原稿排紙ローラ１４４により自動原稿給紙装置１４０の原稿排紙トレイ１４５上に排紙される。排紙されたシート原稿Ｓの長手方向は、給紙時と同様に、シート原稿の搬送方向と略平行である。
【００８４】
このようにして、自動原稿給紙装置１４０のスキャナ１４３で読み取られたシート原稿Ｓの画像情報（画像データ）は、メモリ（図示せず）に記憶される。このメモリに記憶された画像データは、画像処理装置（図示せず）によって印刷用データに変換され、所定のタイミングで露光装置１３３に入力される。
【００８５】
ここで、前記メモリに記憶された画像データは、読み取りが行われた順番と異なる順番で呼出されて印刷用データに変換される。まず、シート原稿Ｓは、シート原稿Ｓの長手方向とシート原稿Ｓの搬送方向とが略平行になるように搬送され、シート原稿Ｓの短面側から順次、画像データの読出しが行われる。そして、シート原稿Ｓの１枚分の画像データは、前記メモリに記憶され、原稿用紙の長面側から順次、画像データが取出されて印刷用データに変換される。
【００８６】
このようにして、短面側から読み取られた画像データを用いて、長面側からの印字を行うための印刷用データが生成される。すなわち、シート原稿Ｓの画像データの方向とシートＰに記録する印刷用データの方向とが交差するように、画像形成装置２００を構成することができる。
【００８７】
露光装置１３３に入力された印刷用データは、所定のタイミングで一様に帯電された感光体１３１の表面にレーザ光として照射され、定着装置１３７によりシートＰ上にトナー像として定着される。
【００８８】
画像形成された記録済みシートＰｓは、シート排紙ローラ２１２、シート搬送ローラ２１３、およびシート排紙ガイド板２１４等により、シート排紙トレイ２１１に排紙される。排紙された記録済みシートＰｓの長手方向は、記録済みシートＰｓの搬送方向と略垂直である。すなわち、画像情報の読み取りを終えて排紙された原稿Ｓと、この画像情報に基づいて画像が形成された記録済みシートＰｓとを、長手方向が互いに交差する方向となるように各排紙台に排紙される。
【００８９】
なお、図１１および図１２では、シート原稿Ｓおよび記録済みシートＰｓは、それぞれ異なったトレイに排紙されているが、シート排紙トレイ２１１と原稿排紙トレイ１４５とを同一の排紙トレイにする構成にしても、同様の効果が得られる。
【００９０】
また、シート原稿Ｓの給紙および読み取りと記録済みシートＰｓの排紙をそれぞれ一括して行ってもよい。この場合、シート原稿Ｓおよび記録済みシートＰｓの端面の少なくとも一部が上下方向において揃うように、自動原稿給紙装置１４０およびシート排紙部２１０を構成してもよい。この構成によれば、排紙トレイ上に積載されるシート原稿Ｓと記録済みシートＰｓとを、より容易に取り出すことができる。
【００９１】
このように、本実施の形態によれば、シート原稿Ｓおよび記録済みシートＰｓが、長手方向が互いに交差する方向となるように各排紙台に排紙されるので、原稿Ｓと記録済みシートＰｓとの区分が明確な状態でこれらを容易に取り出すことができる。
【００９２】
（実施の形態３）
次に、本発明の実施の形態３に係る画像形成装置について、図１３〜図１６を用いて説明する。
【００９３】
図１３は、本発明の実施の形態３に係る画像形成装置の外観を示す概略斜視図であり、図１４は、本発明の実施の形態３に係る画像形成装置を側面方向から見た概略一部断面図であり、図１５は、本発明の実施の形態３に係る画像形成装置を正面方向から見た原稿読取部および自動原稿給紙部の構成を示す概略断面図であり、図１６は、本発明の実施の形態３に係る画像形成装置を正面方向から見た画像読取後の原稿読取部および自動原稿給紙部の構成を示す概略断面図である。以下の説明では、実施の形態１と同様の構成及び動作を行う部分については説明を省略し、また同様の機能を有する要素については同じ番号を付与する。
【００９４】
本実施の形態の画像形成装置３００では、シート排紙部３１０のシート排紙トレイ３１１の配設位置が実施の形態１のシート排紙部１５０のシート排紙トレイ１５１と異なる。
【００９５】
図１３〜図１５に示すように、本実施の形態の画像形成装置３００においては、シート排紙トレイ３１１は、原稿給紙トレイ１４１の下方、かつ、原稿排紙トレイ１４５の上方に配置される構成となっている。すなわち、シート排紙トレイ３１１は、原稿給紙トレイ１４１と原稿排紙トレイ１４５との間に挟まれるような位置に配置されている。
【００９６】
そのため、図１６に示すように、シート排紙トレイ３１１の上に積載された記録済みシートＰｓと原稿排紙トレイ１４５の上に積載されたシート原稿Ｓとが上下方向において近接するようになり、記録済みシートＰｓとシート原稿Ｓとを同時に取り出す際、片手で容易に取り出すことができる。
【００９７】
また、同時に片手で記録済みシートＰｓとシート原稿Ｓとを取り出す場合、記録済みシートＰｓとシート原稿Ｓとを重ね合わせることとなるが、排紙された記録済みシートＰｓとシート原稿Ｓとの用紙方向は互いに異なるので、重ね合わせた後でもこれらを容易に分別することができる。
【００９８】
このように、本実施の形態によれば、排紙された記録済みシートＰｓを載置するシート排紙トレイ３１１とシート原稿Ｓを載置する原稿排紙トレイシート１４５とが上下方向において近接しているので、記録済みシートＰｓとシート原稿Ｓとを同時に取り出す際、これらを片手で容易に取り出すことができる。
【００９９】
なお、本実施の形態では、原稿給紙トレイ１４１が原稿排紙トレイ１４５の上方に配置されているが、原稿給紙トレイが原稿排紙トレイの下方に配置されている場合には、シート排紙トレイ３１１は、原稿給紙トレイの上方、かつ、原稿排紙トレイの下方に配置して、原稿給紙トレイと原稿排紙トレイとの間に挟まれるようにしてもよい。
【０１００】
（実施の形態４）
次に、本発明の実施の形態４に係る画像形成装置について、図１７および図１８を用いて説明する。
【０１０１】
図１７は、本発明の実施の形態４に係る画像形成装置の外観を示す概略斜視図であり、図１８は、本発明の実施の形態４に係る画像形成装置を正面方向から見た原稿読取部および自動原稿給紙部の構成を示す概略断面図である。以下の説明では、実施の形態３と同様の構成及び動作を行う部分については説明を省略し、また同様の機能を有する要素については同じ番号を付与する。
【０１０２】
本実施の形態の画像形成装置４００では、自動原稿給紙装置４１０の原稿給紙トレイ４２０の構成および動作が実施の形態３の自動原稿給紙装置１４０の原稿給紙トレイ１４１と異なる。したがって、本実施の形態では、自動原稿給紙装置４１０の原稿給紙トレイ４２０の構成および動作について説明する。
【０１０３】
図１７および図１８に示すように、原稿給紙トレイ４２０は、補助原稿給紙トレイ４２０ａ，４２０ｂ，４２０ｃに分割されており、給紙トレイ支軸４２０ｄを介して、それぞれの補助原稿給紙トレイが連結されるように構成されている。補助原稿給紙トレイ４２０ｃは、自動原稿給紙装置４１０に配設されており、補助原稿給紙トレイ４２０ｂは、補助原稿給紙トレイ４２０ｃに植設された給紙トレイ支軸４２０ｄに遥動自在に枢支されている。また、補助原稿給紙トレイ４２０ａは、補助原稿給紙トレイ４２０ｂに植設された給紙トレイ支軸４２０ｄに遥動自在に枢支されている。
【０１０４】
この自動原稿給紙装置４１０においては、原稿給紙トレイ４２０が分割されているため、原稿給紙トレイを折りたたむことができ、原稿給紙トレイの形状を画像形成装置４００の使用環境に応じて変化させることができる。例えば、自動複写モードでシート原稿Ｓを原稿給紙トレイ４２０にセットする以外のときは（例えば、手動複写モードまたは外部入力プリントモード）、原稿給紙トレイ４２０を折りたたみ、シート排紙トレイ３１１をより露呈させることができる。
【０１０５】
そのため、使用頻度の高い外部入力プリントモードでは、原稿給紙トレイ４２０を折りたたむことで、シート排紙トレイ３１１上に排出された記録済みシートＰｓの視認性をより向上させることができ、容易に記録済みシートＰｓを取り出すことができる。
【０１０６】
また、原稿給紙トレイ４２０を複数のトレイに分割することで、折りたたんでも画像形成装置４００の設置面積内に原稿給紙トレイ４２０を収めることができ、装置本体より突出することがないので、大きな設置面積を必要としない。
【０１０７】
さらに、シート原稿Ｓのサイズ等の動作環境に応じて、好適な原稿給紙トレイ４２０の形状を実現することができる。例えば、最大サイズのシート原稿Ｓが排紙される場合にはすべての補助原稿給紙トレイを開放し、最小サイズのシート原稿Ｓが排紙される場合には補助原稿給紙トレイ４２０ｃのみを開放する。
【０１０８】
補助原稿給紙トレイの開放および折りたたみは、ユーザによる手動の他に、記録紙のサイズや印刷モードを検知するセンサ（図示せず）を設け、このセンサのセンシング結果に応じて自動で行うようにしてもよい。
【０１０９】
このように、本実施の形態によれば、自動原稿給紙装置４１０の原稿給紙トレイ４２０を分割して折りたたみ可能とし、原稿給紙トレイ４２０の形状を可変としたので、記録紙のサイズや印刷モードに応じた柔軟な画像形成処理を実現することができる。
【０１１０】
なお、本実施の形態では、原稿給紙トレイ４２０を３つの補助原稿給紙トレイから構成するようにしたが、原稿給紙トレイ４２０の構成はこれに限定されない。例えば、記録紙のサイズや印刷モードに応じて、原稿給紙トレイ４２０を２つの補助原稿給紙トレイまたは４つ以上の補助原稿給紙トレイから構成してもよい。
【０１１１】
（実施の形態５）
次に、本発明の実施の形態５に係る画像形成装置について、図１９および図２０を用いて説明する。
【０１１２】
図１９は、本発明の実施の形態５に係る画像形成装置の外観を示す概略斜視図であり、図２０は、本発明の実施の形態５に係る画像形成装置を側面方向から見た概略一部断面図である。以下の説明では、実施の形態４と同様の構成及び動作を行う部分については説明を省略し、また同様の機能を有する要素については同じ番号を付与する。
【０１１３】
本実施の形態の画像形成装置５００では、カバー開閉支軸５１０の配設位置および配設方向が、実施の形態４の支軸１５６と異なる。したがって、本実施の形態では、カバー開閉支軸５１０の構成および動作について説明する。
【０１１４】
カバー開閉支軸５１０は、原稿カバー１２２を、自動原稿給紙装置１４０とともに、装置本体１０１から開閉するための回転軸である。カバー開閉支軸５１０は、その軸がシート排紙ローラ１５２の軸と略同一方向となるように設けられている。したがって、カバー開閉支軸５１０は、その軸が記録済みシートＰｓの排出方向と交差するように設けられている。また、原稿カバー１２２の開閉方向は、記録済みシートＰｓの排出方向と同一方向となり、かつシート原稿Ｓの排出方向と交差する方向となる。
【０１１５】
カバー開閉支軸５１０は、読取部１２０の記録済みシートＰｓの排出方向の上流側の部位に植設されている。すなわち、原稿カバー１２２、原稿排紙トレイ１４５およびシート排紙トレイ３１１は、シート排紙ローラ１５２の軸方向と平行な平面上に位置するように、読取部１２０の本体に植設されたカバー開閉支軸５１０に遥動自在に枢支されている。これにより、原稿カバー１２２、原稿排紙トレイ１４５およびシート排紙トレイ３１１は、カバー開閉支軸５１０を介して、カバー開閉支軸５１０の軸方向と平行な平面上に開閉して、上方に変位することができる。
【０１１６】
したがって、図１９および図２０に示すように、この画像形成装置５００においては、記録済みシートＰｓの排出中に、ブック原稿Ｂを原稿載置台１２１上に載置するために原稿カバー１２２、原稿排紙トレイ１４５およびシート排紙トレイ３１１を開放しても、開放された原稿カバー１２２が記録済みシートＰｓのシート排出口１５５をふさぐことなく、記録済みシートＰｓをシート排紙トレイ３１１上に排出することが可能である。
【０１１７】
このように、本実施の形態によれば、カバー開閉支軸５１０が、読取部１２０の記録済みシートＰｓの排出方向の上流側の部位に、その軸がシート排紙ローラ１５２の軸と略同一方向となるように設けられているので、ブック原稿の複写時に原稿カバーを開放したままでも連続した複写動作が可能になる。すなわち、自動複写モードによる記録済みシートＰｓの排出を行いながらにして、ブック原稿Ｂの手動複写を行うことができ、ユーザの利便性を向上させることができる。
【０１１８】
（実施の形態６）
次に、本発明の実施の形態６に係る画像形成装置について、図２１〜図２３を用いて説明する。
【０１１９】
図２１は、本発明の実施の形態６に係る画像形成装置の外観を示す概略斜視図であり、図２２および図２３は、本発明の実施の形態６に係る画像形成装置の上面図である。以下の説明では、実施の形態３と同様の構成及び動作を行う部分については説明を省略し、また同様の機能を有する要素については同じ番号を付与する。
【０１２０】
本実施の形態の画像形成装置６００では、原稿排紙トレイ６１０およびシート排紙トレイ６２０の構成および動作が実施の形態３の原稿排紙トレイ１４５およびシート排紙トレイ３１１と異なる。したがって、本実施の形態では、原稿排紙トレイ６１０およびシート排紙トレイ６２０の構成および動作について説明する。
【０１２１】
原稿排紙トレイ６１０は、一部に切欠部６３０を有している。原稿排紙トレイ６１０に排紙されたシート原稿Ｓの切欠部６３０に面した部分は、原稿排紙トレイ６１０に接しておらず、中空に浮いた状態となる。
【０１２２】
シート排紙トレイ６２０は、一部にへこみ部６４０を有している。シート排紙トレイ６２０に排紙された記録済みシートＰｓのへこみ部に面した部分は、シート排紙トレイ６２０に接しておらず、中空に浮いた状態となる。
【０１２３】
原稿排紙トレイ６１０の切欠部６３０およびシート排紙トレイ６２０のへこみ部６４０は、画像形成装置６００を上面から見たときにその一部が重なるようにそれぞれ形成されている。また、原稿排紙トレイ６１０およびシート排紙トレイ６２０は、排紙されたシート原稿Ｓおよび記録済みシートＰｓの一部が切欠部６３０とへこみ部６４０との重なり部分に排紙されるように構成されている。
【０１２４】
ところで、記録済みシートＰｓとシート原稿Ｓとを片手で同時につかむためには、記録済みシートＰｓとシート原稿Ｓが交わりあっている部分（図２２の斜線部Ｘ）をつかむ必要がある。しかし、シート原稿Ｓを載置する原稿排紙トレイ６１０と記録済みシートＰｓを載置するシート排紙トレイ６２０とは別々に設けられているので、シート原稿Ｓと記録済みシートＰｓとの間の大部分は、シート排紙トレイ６２０を介して重なり合っている。
【０１２５】
いま、切欠部６３０とへこみ部６４０との重なり部分に着目すると、この重なり部分に関しては、シート原稿Ｓと記録済みシートＰｓとは直接接触した状態で載置されている。すなわち、記録済みシートＰｓとシート原稿Ｓが交わりあっている部分のうち、切欠部６３０とへこみ部６４０との重なり部分（図２３の斜線部Ｙ）をつかむことにより、容易に片手で、記録済みシートＰｓおよびシート原稿Ｓを同時に取り出すことができる。
【０１２６】
このように、本実施の形態によれば、シート原稿Ｓを載置する原稿排紙トレイと記録済みシートＰｓを載置するシート排紙トレイとを別々に設けた状態で、これらの一部が重なり合い、かつ、その上下に手を挿入する空間を設けたので、シート原稿Ｓおよび記録済みシートＰｓを片手で容易に取り出すことができる。
【０１２７】
（実施の形態７）
次に、本発明の実施の形態７に係る画像形成装置について、図２４〜図２７を用いて説明する。
【０１２８】
図２４は、本発明の実施の形態７に係る画像形成装置の外観を示す概略斜視図であり、図２５〜図２７は、本発明の実施の形態７に係る画像形成装置の上面図である。以下の説明では、実施の形態３と同様の構成及び動作を行う部分については説明を省略し、また同様の機能を有する要素については同じ番号を付与する。
【０１２９】
本実施の形態の画像形成装置７００では、原稿排紙トレイ７１０およびシート排紙トレイ７２０の構成および動作が実施の形態３の原稿排紙トレイ１４５およびシート排紙トレイ３１１と異なる。したがって、本実施の形態では、原稿排紙トレイ７１０およびシート排紙トレイ７２０の構成および動作について説明する。
【０１３０】
原稿排紙トレイ７１０は、一部に凸部としての突起物７３０を有している。突起物７３０は、画像の読み取り後に排出されたシート原稿Ｓを受け止めることにより、シート原稿Ｓの端部を揃える。すなわち、原稿排紙トレイ７１０は、排出されたシート原稿Ｓを、その端部を揃えた状態で載置する機能を有する。
【０１３１】
シート排紙トレイ７２０は、一部に凸部としての突起物７４０を有している。突起物７４０は、画像が形成されて排出された記録済みシートＰｓを受け止めることにより、記録済みシートＰｓの端部を揃える。すなわち、シート排紙トレイ７２０は、排出された記録済みシートＰｓを、その端部を揃えた状態で載置する機能を有する。
【０１３２】
次に、上述のように構成された画像形成装置７００の動作について、図２５〜図２７を用いて説明する。ここでは、異なる大きさのシート原稿Ｓの給紙、読み取り、および排紙を連続的に行い、異なる大きさの記録済みシートＰｓへの画像形成および排出を連続的に行う例について説明する。
【０１３３】
まず、自動給紙するシート原稿Ｓを、原稿給紙トレイ上にセットする。次いで、ユーザが操作パネル上のコピーボタンを押すと、原稿給紙トレイ上のシート原稿Ｓが原稿給紙ローラにより給紙され、シート原稿Ｓの画像情報が読み取られて、原稿排紙ローラにより自動原稿給紙装置の原稿排紙トレイ７１０上に排紙される。このとき、シート原稿Ｓは、突起物７３０により受け止められてその端部が揃えられる。すなわち、シート原稿Ｓは、その排紙方向下流側が揃った状態で載置される。
【０１３４】
そのためには、シート原稿Ｓを原稿排紙トレイ７１０に送り出す原稿排紙ローラの回転速度は、最小サイズのシート原稿Ｓの先端部が突起物７３０まで到達する回転速度以上に設定することが好ましい。これにより、突起物７３０を基準として、大きさの異なるシート原稿Ｓを揃えることができる。
【０１３５】
また、突起物７３０にシート原稿Ｓを揃える別の手段として、原稿排紙トレイ７１０の表面に、自動原稿給紙装置側で最も高く突起物７３０に向かって低くなるような勾配を付与することもできる。
【０１３６】
操作者は、積載されたシート原稿Ｓを自動原稿給紙装置の対向側から取り出すため、シート原稿Ｓの端部が自動原稿給紙装置１４０の対向側で揃っていると、大きさの異なる複数のシート原稿Ｓが原稿排紙トレイ７１０上に積載していても、容易に片手で一度に取り出すことが可能である。
【０１３７】
一方、画像形成部１３０は、シート原稿Ｓの画像データを変換した印刷用データを用いてシートＰに対して画像を形成する。画像が形成された記録済みシートＰｓは、シート排紙ローラによりシート排紙部のシート排紙トレイ７２０上に排紙される。このとき、記録済みシートＰｓは、突起物７４０により受止められてその端部が揃えられる。すなわち、記録済みシートＰｓは、その排紙方向下流側が揃った状態で載置される。
【０１３８】
そのためには、記録済みシートＰｓをシート排紙トレイ７２０に送り出すシート排紙ローラの回転速度は、最小サイズの記録済みシートＰｓの先端部が突起物７４０まで到達する回転速度以上に設定することが好ましい。これにより、突起物７４０を基準として、大きさの異なる記録済みシートＰｓを揃えることができる。
【０１３９】
また、突起物７４０に記録済みシートＰｓを揃える別の手段として、シート排紙トレイ７２０の表面に、シート原稿排出部１５５で最も高く突起物７４０に向かって低くなるような勾配を付与することもできる。
【０１４０】
操作者は、積載された記録済みシートＰｓをシート排出口１５５の対向側から取り出すため、記録済みシートＰｓの端部がシート排出口１５５の対向側で揃っていると、大きさの異なる複数の記録済みシートＰｓがシート排紙トレイ７２０上に積載していても、容易に片手で一度に取り出すことが可能である。
【０１４１】
このようにして、異なる大きさのシート原稿Ｓおよび記録済みシートＰｓが連続的に排出された場合であっても、シート原稿Ｓおよび記録済みシートＰｓを、それぞれ排紙方向の端部が揃った状態で載置することができる。
【０１４２】
ところで、シート原稿Ｓおよび記録済みシートＰｓのいずれにおいても、排紙方向の端部のみならず、もう一方の端部が揃っていることがさらに好ましい。すなわち、シート原稿Ｓおよび記録済みシートＰｓの排紙方向に対して上下方向だけでなく、左右方向でも端部を揃えることによって、さらに記録済みシートＰｓを容易に取り出すことができる。
【０１４３】
操作者は、積載された記録済みシートＰｓを自動原稿給紙装置１４０の対向側から取り出すため、左右方向で揃える端部は、自動原稿給紙装置１４０から遠い側の端部（図２５のＡ部）であることが望ましい。Ａ部で記録済みシートＰｓを揃えるためには、用紙カセット内にあるカーソル（不図示）の一端をＡ部の同一線上に配設すればよい。
【０１４４】
また、操作者は、積載されたシート原稿Ｓをシート排出口１５５の対向側から取り出すため、左右方向で揃える端部は、シート排出口１５５から遠い側の端部（図２６のＢ部）であることが望ましい。Ｂ部でシート原稿Ｓを揃えるにためには、原稿給紙トレイ上にあるシート原稿Ｓの位置を規制するための原稿位置規制板の位置規制面を、Ｂ部の同一線上に配置すればよい。
【０１４５】
さらに、図２７に示すように、記録済みシートＰｓの排出基準であるＡ部の同一線上に突起物７３０を配置し、かつ、シート原稿Ｓの排出基準であるＢ部の同一線上に突起物７４０を配置してもよい。これにより、すべての記録済みシートＰｓとシート原稿Ｓとの角部が揃い、大きさの異なる記録済みシートＰｓと大きさの異なるシート原稿Ｓであっても、容易に片手で取り出すことができ、かつ、記録済みシートＰｓとシート原稿Ｓが交わっているため、容易に区分することもできる。
【０１４６】
このように、本実施の形態によれば、原稿排紙トレイ７１０上の一部に、画像の読み取り後に排出されたシート原稿Ｓを受け止めてシート原稿Ｓの端部を揃える突起物７３０を設け、シート排紙トレイ７２０上の一部に、画像が形成された記録済みシートＰｓを受け止めて記録済みシートＰｓの端部を揃える突起物７４０を設けたので、異なる大きさのシート原稿Ｓおよび記録済みシートＰｓを容易に区分して取り出すことができる。
【０１４７】
本明細書は、２００５年６月２０日出願の特願２００５−１７８７８４に基づく。この内容はすべてここに含めておく。
【産業上の利用可能性】
【０１４８】
本発明に係る画像形成装置は、画像情報の読み取りを終えて排紙された原稿と、この画像情報に基づいて画像が形成された記録済みシートとを、区分された状態を保ったまま容易に取り出すことができる効果を有し、電子写真方式や静電記録方式、イオノグラフィー、磁気記録方式等の画像形成方式を採用した白黒およびカラーの複写機やプリンタ、ファクシミリ等の画像形成装置として有用である。
【図面の簡単な説明】
【０１４９】
【図１】本発明の実施の形態１に係る画像形成装置の外観を示す概略斜視図
【図２】本発明の実施の形態１に係る画像形成装置を側面方向から見た構成を示す概略一部断面図
【図３】本発明の実施の形態１に係る画像形成装置を正面方向から見た原稿読取部および自動原稿給紙部の構成を示す概略断面図
【図４】本発明の実施の形態１に係る画像形成装置を正面方向から見た画像読み取り後の原稿読取部および自動原稿給紙部の構成を示す概略断面図
【図５】同一排紙トレイを有する図１の画像形成装置の変形例の外観を示す概略斜視図
【図６】シート原稿Ｓの排紙および記録済みシートＰｓの排紙を１枚ずつ行う場合の印字動作の一例を説明するためのフローチャート
【図７】図６の動作により排紙されたシート原稿Ｓおよび記録済みシートＰｓの状態の一例を示す図
【図８】シート原稿Ｓの排紙および記録済みシートＰｓの排紙をそれぞれ一括して行う場合の印字動作の一例を説明するためのフローチャート
【図９】図８の動作により排紙されたシート原稿Ｓおよび記録済みシートＰｓの状態の一例を示す図
【図１０】図８の動作により排紙されたシート原稿Ｓおよび記録済みシートＰｓの状態の他の例を示す図
【図１１】本発明の実施の形態２に係る画像形成装置の概観を示す概略斜視図
【図１２】本発明の実施の形態２に係る画像形成装置を正面方向から見た構成を示す概略断面図
【図１３】本発明の実施の形態３に係る画像形成装置の外観を示す概略斜視図
【図１４】本発明の実施の形態３に係る画像形成装置を側面方向から見た概略一部断面図
【図１５】本発明の実施の形態３に係る画像形成装置を正面方向から見た原稿読取部および自動原稿給紙部の構成を示す概略断面図
【図１６】本発明の実施の形態３に係る画像形成装置を正面方向から見た画像読み取り後の原稿読取部および自動原稿給紙部の構成を示す概略断面図
【図１７】本発明の実施の形態４に係る画像形成装置の外観を示す概略斜視図
【図１８】本発明の実施の形態４に係る画像形成装置を正面方向から見た原稿読取部および自動原稿給紙部の構成を示す概略断面図
【図１９】本発明の実施の形態５に係る画像形成装置の外観を示す概略斜視図
【図２０】本発明の実施の形態５に係る画像形成装置を側面方向から見た概略一部断面図
【図２１】本発明の実施の形態６に係る画像形成装置の外観を示す概略斜視図
【図２２】本発明の実施の形態６に係る画像形成装置の第１の上面図
【図２３】本発明の実施の形態６に係る画像形成装置の第２の上面図
【図２４】本発明の実施の形態７に係る画像形成装置の外観を示す概略斜視図
【図２５】本発明の実施の形態７に係る画像形成装置の第１の上面図
【図２６】本発明の実施の形態７に係る画像形成装置の第２の上面図
【図２７】本発明の実施の形態７に係る画像形成装置の第３の上面図
【図２８】従来の画像形成装置の一例を示す概略断面図
【符号の説明】
【０１５０】
１００、２００、３００、４００、５００、６００、７００  画像形成装置
１１０  受信部
１２０  読取部
１３０  画像形成部
１４０、４１０  自動原稿給紙装置
１４１、４２０  原稿給紙トレイ
１４５、６１０、７１０  原稿排紙トレイ
１５０、２１０、３１０  シート排紙部
１５１、２１１、３１１、６２０、７２０  シート排紙トレイ
１７０  給紙部
１８０  搬送系
４２０ａ、４２０ｂ、４２０ｃ  補助原稿給紙トレイ
４２０ｄ  給紙トレイ支軸
５１０  カバー開閉支軸
６３０  切欠部
６４０  へこみ部
７３０、７４０  突起物
Ｓ  シート原稿
Ｐｓ  記録済みシート
【図１】
2007034271.tif 000003
【図２】
2007034271.tif 000004
【図３】
2007034271.tif 000005
【図４】
2007034271.tif 000006
【図５】
2007034271.tif 000007
【図６】
2007034271.tif 000008
【図７】
2007034271.tif 000009
【図８】
2007034271.tif 000010
【図９】
2007034271.tif 000011
【図１０】
2007034271.tif 000012
【図１１】
2007034271.tif 000013
【図１２】
2007034271.tif 000014
【図１３】
2007034271.tif 000015
【図１４】
2007034271.tif 000016
【図１５】
2007034271.tif 000017
【図１６】
2007034271.tif 000018
【図１７】
2007034271.tif 000019
【図１８】
2007034271.tif 000020
【図１９】
2007034271.tif 000021
【図２０】
2007034271.tif 000022
【図２１】
2007034271.tif 000023
【図２２】
2007034271.tif 000024
【図２３】
2007034271.tif 000025
【図２４】
2007034271.tif 000026
【図２５】
2007034271.tif 000027
【図２６】
2007034271.tif 000028
【図２７】
2007034271.tif 000029
【図２８】
2007034271.tif 000030